(57)【要約】本発明は、キャビティ（１４）を画定する中空体（１２）と、アクチュエータ（１６）と、キャビティ（１４）内に設けられた摺動部（１８）とを有する電気スイッチ（１０）に関する。摺動部（１８）は、アクチュエータ（１６）の作用を受けて、第１位置から第２位置に移動するように構成されており、第１位置は、摺動部（１８）の少なくとも１つの導電部（１９）が、横方向に伸びてキャビティ（１４）に通じる少なくとも２つの初期導電スタッド（２０ａ、２０ｂ）に、切断可能な持続性電気的接合部を介して電気的に接続される位置であり、第２位置は、これらの初期導電スタッド（２０ａ、２０ｂ）の少なくとも１つが、摺動部（１８）の導電部（１９）と電気的に接続されなくなる位置である。【選択図】図１
2013512539.tif 000002
【特許請求の範囲】
【請求項１】
キャビティ（１４）を画定する中空体（１２）と、
前記キャビティ（１４）内に形成されたアクチュエータ（１６）と、
前記キャビティ（１４）内において前記アクチュエータ（１６）より下流に設けられ、少なくとも１つの導電部（１９）を含む摺動部（１８）と、
第１スタッド対を構成する少なくとも２つの初期導電スタッド（２０ａ、２０ｂ）と、
前記初期導電スタッド（２０ａ、２０ｂ）より下流に配置された下流導電スタッド（３０）とを備え、
前記初期導電スタッドおよび前記下流導電スタッドは、前記中空体（１２）の壁部に取り付けられ、横方向に伸びて前記キャビティ（１４）に通じており、
前記摺動部（１８）が第１位置にあるとき、前記摺動部（１８）の前記導電部（１９）と前記初期導電スタッド（２０ａ、２０ｂ）とが電気的に接続されていて、第１電気回路を閉じており、
前記摺動部（１８）は、前記アクチュエータ（１６）の作用を受けて、前記第１位置から、少なくとも１つの前記初期導電スタッドが前記摺動部の前記導電部と接続されなくなる第２位置に移動して、前記第１電気回路を開くように構成されており、
前記摺動部（１８）の前記導電部（１９）は、第１の前記初期導電スタッド（２０ａ）より上流に位置する第１突出部（３４）と、前記下流導電スタッド（３０）より上流に位置する第２突出部（３８）とを有しており、
前記摺動部（１８）が前記第２位置にあるとき、前記第１突出部（３４）および前記第２突出部（３８）は、それぞれ、前記第１の初期導電スタッドの接合面（２６ａ）および前記下流導電スタッド（３０）の接合面（３１）に押し当たって、第２電気回路を閉じるよう構成されていることを特徴とする、電気スイッチ（２００、２０１、２０２）。
【請求項２】
キャビティ（１４）を画定する中空体（１２）と、
前記キャビティ（１４）内に形成されたアクチュエータ（１６）と、
前記キャビティ（１４）内において前記アクチュエータ（１６）より下流に設けられ、少なくとも１つの導電部（１９）を含む摺動部（１８）と、
前記中空体（１２）の壁部に取り付けられ、横方向に伸びて前記キャビティ（１４）に通じている、少なくとも２つの初期導電スタッド（２０ａ、２０ｂ）とを備え、
前記摺動部（１８）が第１位置にあるとき、前記摺動部（１８）の前記導電部（１９）と前記初期導電スタッド（２０ａ、２０ｂ）とが電気的に接続されていて、第１電気回路を閉じており、
前記摺動部（１８）は、前記アクチュエータ（１６）の作用を受けて、前記第１位置から、少なくとも１つの前記初期導電スタッドが前記摺動部（１８）の前記導電部（１９）と電気的に接続されなくなる第２位置に移動するように構成されており、
前記摺動部（１８）の前記導電部（１９）と前記初期導電スタッド（２０ａ、２０ｂ）との間の接続部（２２ａ、２２ｂ）が、溶接部により構成される切断可能な持続性電気的接合部であることを特徴とする、電気スイッチ（１０）。
【請求項３】
キャビティ（１４）を画定する中空体（１２）と、
前記キャビティ（１４）内に形成されたアクチュエータ（１６）と、
前記キャビティ（１４）内において前記アクチュエータ（１６）より下流に設けられ、少なくとも１つの導電部（１９）を含む摺動部（１８）と、
前記中空体（１２）の壁部に取り付けられ、横方向に伸びて前記キャビティ（１４）に通じている、少なくとも２つの初期導電スタッド（２０ａ、２０ｂ）とを備え、
前記摺動部（１８）が第１位置にあるとき、前記摺動部（１８）の前記導電部（１９）と前記初期導電スタッド（２０ａ、２０ｂ）とが電気的に接続されていて、第１電気回路を閉じており、
前記摺動部（１８）は、前記アクチュエータ（１６）の作用を受けて、前記第１位置から、少なくとも１つの前記初期導電スタッドが前記摺動部（１８）の前記導電部（１９）と電気的に接続されなくなる第２位置に移動するように構成されており、
前記摺動部（１８）の前記導電部（１９）と前記初期導電スタッド（２０ａ、２０ｂ）との間の接続部（２２ａ、２２ｂ）が、ろう付け接合部および半田付け接合部のいずれかにより構成される切断可能な持続性電気的接合部であることを特徴とする、電気スイッチ（１０）。
【請求項４】
キャビティ（１４）を画定する中空体（１２）と、
前記キャビティ（１４）内に形成されたアクチュエータ（１６）と、
前記キャビティ（１４）内において前記アクチュエータ（１６）より下流に設けられ、少なくとも１つの導電部（１９）を含む摺動部（１８）と、
前記中空体（１２）の壁部に取り付けられ、横方向に伸びて前記キャビティ（１４）に通じている、少なくとも２つの初期導電スタッド（２０ａ、２０ｂ）とを備え、
前記摺動部（１８）が第１位置にあるとき、前記摺動部（１８）の前記導電部（１９）と前記初期導電スタッド（２０ａ、２０ｂ）とが電気的に接続されていて、第１電気回路を閉じており、
前記摺動部（１８）は、前記アクチュエータ（１６）の作用を受けて、前記第１位置から、少なくとも１つの前記初期導電スタッドが前記摺動部（１８）の前記導電部（１９）と電気的に接続されなくなる第２位置に移動するように構成されており、
少なくとも１つの前記初期導電スタッド（２０ａ、２０ｂ）の接合面（２６ａ、２６ｂ）と、前記導電部（１９）の対応する接合面（２８ａ、２８ｂ）とが、下流に向かって広がるように傾斜していることを特徴とする、電気スイッチ（１００）。
【請求項５】
前記摺動部（１８）の前記導電部（１９）と前記初期導電スタッド（２０ａ、２０ｂ）との間の接続部（２２ａ、２２ｂ）が、切断可能な持続性電気的接合部である、請求項１または４に記載の電気スイッチ。
【請求項６】
前記切断可能な持続性電気的接合部（２２ａ、２２ｂ）が、半田付け接合部およびろう付け接合部のいずれかである、請求項５に記載の電気スイッチ。
【請求項７】
前記切断可能な持続性電気的接合部（２２ａ、２２ｂ）が溶接部である、請求項５に記載の電気スイッチ。
【請求項８】
前記初期導電スタッド（２０ａ、２０ｂ）と前記摺動部（１８）の前記導電部（１９）とが、一体部材として作製されると共に、複数の切断始動部によって互いに画定されている、請求項５に記載の電気スイッチ。
【請求項９】
前記初期導電スタッドは、前記摺動部（１８）が前記第１位置にあるとき、バネ等の弾性付勢手段によって前記導電部に接触するよう付勢されている、請求項１または４に記載の電気スイッチ。
【請求項１０】
前記下流導電スタッド（３０）は、前記摺動部（１８）が前記第１位置にあるとき、バネ等の弾性付勢手段によって前記キャビティ（１４）の内部に向かって付勢されており、前記摺動部（１８）が前記第２位置にあるとき、前記弾性付勢手段によって前記第２突出部（３８）に接触するよう付勢されている、請求項１に記載の電気スイッチ。
【請求項１１】
前記初期導電スタッドが、前記摺動部の摺動方向（ＸーＸ）に対して直角な軸上で互いに対向して配置されている、請求項１から１０のいずれか１項に記載の電気スイッチ。
【請求項１２】
前記アクチュエータ（１６）が火薬式ガス発生器であり、
前記摺動部（１８）が、前記キャビティ（１４）内を移動可能なピストン（２４）を構成していること、および、前記ピストン（２４）に接続されていること、のいずれかの特徴を有しており、
前記アクチュエータ（１６）と前記ピストン（２４）との間に膨張室（２７）が画定されている、請求項１から１１のいずれか１項に記載の電気スイッチ。
【請求項１３】
少なくとも１つの前記初期導電スタッド（２０ａ、２０ｂ）の前記接合面（２６ａ、２６ｂ）と、前記導電部（１９）の対応する前記接合面（２８ａ、２８ｂ）とが、下流に向かって広がるように傾斜している、請求項１から１２のいずれか１項に記載の電気スイッチ。
【請求項１４】
前記摺動部（１８）が、前記導電部（１９）の少なくとも１つの前記接合面（２６ａ、２６ｂ）より上流に後退部（２３ａ、２３ｂ）を含む、請求項１から１３のいずれか１項に記載の電気スイッチ。
【請求項１５】
前記摺動部（１８）が、前記導電部（１９）の少なくとも１つの前記接合面（２６ａ、２６ｂ）より上流に絶縁部分を含む、請求項１から１４のいずれか１項に記載の電気スイッチ。
【請求項１６】
前記キャビティ（１４）の下流側終端は、前記摺動部（１８）が前記第１位置から前記第２位置に移動する際に前記摺動部（１８）をガイドするガイド部（３２）を構成している、請求項１から１５のいずれか１項に記載の電気スイッチ。
【請求項１７】
第１スタッド対を構成する前記初期導電スタッド（２０ａ、２０ｂ）より下流に配置された下流導電スタッド（３０）を備え、
前記摺動部（１８）の前記導電部（１９）が、第１の前記初期導電スタッド（２０ａ）より上流に位置する第１突出部（３４）と、前記下流導電スタッド（３０）より上流に位置する第２突出部（３８）とを有しており、
前記摺動部（１８）が前記第２位置にあるとき、前記第１突出部（３４）および前記第２突出部（３８）は、それぞれ、前記第１の初期導電スタッドの前記接合面（２６ａ）および前記下流導電スタッド（３０）の接合面（３１）に押し当たって、第２電気回路を閉じるよう構成されている、請求項１から１６のいずれか１項に記載の電気スイッチ。
【請求項１８】
前記第１スタッド対より下流にあり、前記下流導電スタッドと協働して第２スタッド対を構成する別の下流導電スタッドをさらに備え、
前記摺動部（１８）が、前記摺動部の軸方向平面に実質的に延在する絶縁体（４６）によって互いに隔てられている第１導電部（４２）および第２導電部（４４）を少なくとも含み、
前記第１スタッド対（２０ａ、２０ｂ）は、前記摺動部（１８）の前記第１導電部（４２）を介して互いに電気的に接続され、前記第２スタッド対（２０ｃ、２０ｄ）は、前記摺動部（１８）の前記第２導電部（４４）を介して互いに電気的に接続されている、請求項１または１７に記載の電気スイッチ。
【請求項１９】
前記第１スタッド対（２０ａ、２０ｂ）および前記第２スタッド対（２０ｃ、２０ｄ）が、前記摺動部（１８）の摺動方向（ＸーＸ）に対して直角な複数の平面内にそれぞれ位置している、請求項１８に記載の電気スイッチ。
【請求項２０】
前記絶縁体（４６）が前記第２スタッド対（２０ｃ、２０ｄ）よりも上流で、前記第２突出部（３８）よりも下流に配置されており、それにより、前記摺動部（１８）が前記第２位置にあるとき、前記第１突出部（３４）および前記第２突出部（３８）が、それぞれ、前記第１の初期導電スタッド（２０ａ）の前記接合面（２６ａ）および前記第２スタッド対（２０ｃ、２０ｄ）の第１のスタッド（２０ｃ）の接合面（２６ｃ）に押し当たるよう構成されている、請求項１８または１９に記載の電気スイッチ。
【請求項２１】
前記摺動部（１８）は、前記摺動部（１８）が前記第１位置にあるときに第２の前記初期導電スタッド（２０ｂ）より上流に位置する後退部（３６）をさらに有しており、
前記後退部（３６）は、前記摺動部（１８）が前記第２位置にあるときに前記第２の初期導電スタッド（２０ｂ）に対向して前記第１電気回路を開き前記第２電気回路を閉じるよう構成されている、請求項１または１７に記載の電気スイッチ。
【請求項２２】
前記摺動部（１８）は、前記摺動部が前記第１位置にあるときに第２の前記初期導電スタッド（２０ｂ）より上流に位置する絶縁部分をさらに有しており、
前記絶縁部分（３６）は、前記摺動部（１８）が前記第２位置にあるときに前記第２の初期導電スタッド（２０ｂ）に対向して前記第１電気回路を開き前記第２電気回路を閉じるよう構成されている、請求項１または１７に記載の電気スイッチ。
【請求項２３】
前記摺動部（１８）が、前記第２スタッド対（２０ｃ、２０ｄ）の第２のスタッド（２０ｄ）より上流に位置する第２後退部（４８）をさらに含み、
前記摺動部（１８）が前記第２位置にあるとき、前記第２後退部（４８）が、前記第２のスタッド（２０ｄ）に対向するよう構成されている、請求項１８と、請求項２１および２２のいずれかとに記載の電気スイッチ。
【請求項２４】
前記摺動部（１８）が、前記第２スタッド対（２０ｃ、２０ｄ）の第２のスタッド（２０ｄ）より上流に位置する第２絶縁部分をさらに含み、
前記摺動部（１８）が前記第２位置にあるとき、前記第２絶縁部分が、前記第２のスタッド（２０ｄ）の接合面（２６ｄ）に対向するよう構成されている、請求項１８と、請求項２１および２２のいずれかとに記載の電気スイッチ。
【請求項２５】
前記導電部（１９）が第３突出部（４０）をさらに含み、
前記第３突出部（４０）は、前記摺動部（１８）が前記第１位置にあるときに前記第１スタッド対（２０ａ、２０ｂ）の第２の初期導電スタッド（２０ｂ）より上流に位置し、前記摺動部（１８）が前記第１位置と前記第２位置との間の中間位置にあるときに前記第２の初期導電スタッドの前記接合面（２６ｂ）に押し当たるように、また、前記摺動部（１８）が前記第２位置にあるときに前記第２の初期導電スタッド（２０ｂ）より下流に位置するように、形成および設計されている、請求項１または１７に記載の電気スイッチ。
【発明の詳細な説明】
【技術分野】
【０００１】
本発明は、電気スイッチに関する。
【０００２】
詳細には、本発明は「摺動部」を有する電気スイッチに関し、より詳細には、キャビティを画定する中空体と、このキャビティ内に配置されたアクチュエータと、キャビティ内においてアクチュエータより下流に設けられ、少なくとも１つの導電部を含む摺動部と、中空体の壁部に取り付けられ、横方向に伸びてキャビティに通じている少なくとも２つの初期導電スタッドとを備える種類の電気スイッチであって、摺動部が第１位置にあるとき、摺動部の導電部と初期導電スタッドとが電気的に接続されていて、第１電気回路を閉じており、摺動部は、アクチュエータの作用を受けて、第１位置から、少なくとも１つの初期導電スタッドが摺動部の導電部と電気的に接続されなくなる第２位置に移動するように構成されている、電気スイッチに関する。
【０００３】
本明細書に記載の電気スイッチは、その実施形態に応じて、カットアウトスイッチまたは切換えスイッチとして使用されてよい。この電気スイッチは、特に、高電流回路に適している。
【背景技術】
【０００４】
多くの分野で、特に１または複数の構成要素が正しく機能しなくなった場合にこれらを分離するために、問題の生じた回路を迅速かつ確実に開き、また、必要に応じて、それと同時に分岐回路を閉じるよう機能することができる電気スイッチを得ることが必要となっている。
【０００５】
仏国特許第２７８８１６５号には、中空体の壁部を貫通する複数の導電スタッドが、中空体の内部を移動するよう設けられた摺動部の導電部にねじ締め手段によって押し当てられる、上述の種類の電気スイッチの一例が記載されている。ねじ締めによって実現されるこのような接続部では、摺動部と複数の導電スタッドとの間の各電気的接触の信頼性が十分でない。外部応力（振動、衝撃等）の影響を受けると、このねじ締めによる接続部が緩んで、接触不良や、アーク放電、その他の望ましくない現象を引き起こす可能性がある。
【０００６】
さらに、仏国特許第２７８８１６５号に記載の電気スイッチは、比較的高価な精密部品を使用する必要があり、また、このような部品は組み立ての際に非常に正確に調整する必要がある。
【発明の概要】
【発明が解決しようとする課題】
【０００７】
本発明の目的は、上述の欠点を回避する電気スイッチを提供することである。
【０００８】
詳細には、本発明の目的は、切換えスイッチを構成する電気スイッチであって、信頼性の高い電気的接続を提供しつつ、非常に簡単に組み立て可能で、迅速に応答可能な電気スイッチを提供することである。
【課題を解決するための手段】
【０００９】
本発明の一形態によれば、キャビティを画定する中空体と、前記キャビティ内に配置されたアクチュエータと、前記キャビティ内において前記アクチュエータより下流に設けられ、少なくとも１つの導電部を含む摺動部と、第１スタッド対を構成する第１導電スタッドおよび第２導電スタッドと、前記第１スタッド対より下流に配置された下流導電スタッドとを備え、前記導電スタッドはそれぞれ、前記中空体の壁部に取り付けられ、横方向に伸びて前記キャビティに通じており、前記摺動部が第１位置にあるとき、前記摺動部の前記導電部と前記第１および第２導電スタッドとが電気的に接続されていて、第１電気回路を閉じており、前記摺動部は、前記アクチュエータの作用を受けて、前記第１位置から第２位置に移動するように構成されており、前記摺動部の前記導電部は、前記第１導電スタッドより上流に位置する第１突出部と、前記下流導電スタッドより上流に位置する第２突出部とを有しており、前記摺動部が前記第２位置にあるとき、前記第１突出部および前記第２突出部は、それぞれ、前記第１導電スタッドの接合面および前記下流導電スタッドの接合面に押し当たるよう構成されている、上述の種類のスイッチによって上記目的が達成される。
【００１０】
本発明の別の目的は、非常に簡単に組み立てられるよう、また、非常に高速で機能するように構成され、信頼性の高い電気的接続を提供する、電気スイッチを提供することである。
【００１１】
本発明の一形態によれば、摺動部の導電部と２つの初期導電スタッドとの間の接続部が、溶接部により構成される切断可能な持続性電気的接合部である上述の種類の電気スイッチによって、上記目的が達成される。
【００１２】
本発明の一形態では、摺動部の導電部と２つの導電スタッドとの間の接続部が、ろう付け接合部または半田付け接合部により構成される切断可能な持続性電気的接合部である上述の種類の電気スイッチによっても、上記目的が達成される。
【００１３】
このような構成により、摺動部が第１位置にあるとき、これらの導電スタッドは電気的に接続されていて、第１電気回路を閉じている。第１位置では、この第１電気回路は信頼性の高い複数の電気的接触によって閉じられている。これらの初期導電スタッドと摺動部の導電部との間の各接続部は持続性電気的接合部であるため、これらの要素間の電気的接触は、電気スイッチが振動または衝撃にさらされた場合でも提供される。接触不良、ジュール効果損失、アーク放電等の望ましくない現象が回避される。この電気スイッチは、カットアウト機能を提供する。すなわち、アクチュエータの作用を受けて摺動部が第１位置から第２位置へ移動すると、これらのスタッドのうち少なくとも１つのスタッドが摺動部の導電部に電気的に接続されなくなる。２つの初期導電スタッド間の電気的接続が切断され、第１電気回路が開かれる。
【００１４】
さらに、ろう付けまたは半田付けは、溶接と同様に、その実施が高価ではない。
【００１５】
本発明の別の目的は、非常に簡単に組み立てられるように構成され、電気的接続を即座に切断可能で、非常に迅速に起動可能な、電気スイッチを提供することである。
【００１６】
本発明の一実施形態では、少なくとも１つの導電スタッドの接合面とそれに対応する導電部の接合面とが下流に向かって広がるように傾斜している上述の種類の電気スイッチによって上記目的が達成される。
【００１７】
有利には、各初期導電スタッドの接合面と、それに対応する導電部の接合面とが、下流に向かって広がるように傾斜している。
【００１８】
このような構成により、摺動部は、第１位置から第２位置へ移動する際に、摩擦によって妨げられることなく速やかに各初期導電スタッドから接合解除可能である。これにより、これらの導電スタッドを互いに接続していた第１電気回路が確実に切断されて、アーク放電を回避することができる。
【００１９】
本出願の全体を通じて（とりわけ説明する全ての実施形態において）、「初期導電スタッド」という用語は、摺動部が第１位置にあるとき、すなわち、電気スイッチが初期状態のときに摺動部の導電部に接続されている導電スタッドを指すこととする。
【図面の簡単な説明】
【００２０】
【図１】第１位置における、本発明の第１実施形態の電気スイッチの側方断面図である。
【図２】第２位置における、本発明の第１実施形態の電気スイッチの側方断面図である。
【図３】図１の電気スイッチの、III−III線に沿った横断面図である。
【図４】摺動部の変形形態を示す。
【図５】第１位置について示した、第３実施形態の電気スイッチの側方断面図である。
【図６】第２位置について示した、第３実施形態の電気スイッチの側方断面図である。
【図７】第１位置について示した、本発明の第４実施形態の電気スイッチの側方断面図である。
【図８】第２位置について示した、本発明の第４実施形態の電気スイッチの側方断面図である。
【図９】第１位置について示した、本発明の第４実施形態の変形例の電気スイッチの側方断面図である。
【図１０】中間位置について示した、本発明の第４実施形態の変形例の電気スイッチの側方断面図である。
【図１１】第２位置について示した、本発明の第４実施形態の変形例の電気スイッチの側方断面図である。
【図１２】第１位置について示した、本発明の第４実施形態の別の変形例の電気スイッチの断面図である。
【図１３】中間位置について示した、本発明の第４実施形態の別の変形例の電気スイッチの断面図である。
【図１４】第２位置について示した、本発明の第４実施形態の別の変形例の電気スイッチの断面図である。
【図１５】図５および図６に示す本発明の第３実施形態の変形例を示す図である。
【図１６】図５および図６に示す本発明の第３実施形態の変形例を示す図である。
【発明を実施するための形態】
【００２１】
本明細書では、複数の実施形態について説明する。相反する記載がない限り、いずれか１つの実施形態について記載した特徴は、他の実施形態にも適用してよい。
【００２２】
本発明の他の特徴および利点は、限定を意図しない説明として提示する、本発明の複数の実施形態についての以下の説明を読むことにより明らかになる。以下の説明では、添付の図面を参照する。
【００２３】
図示したこれらの例において、本発明の電気スイッチは、円形断面のキャビティ１４を内側に画定する中空体１２を備え、このキャビティ１４は、その底側端部１４ｂが底壁１５によって閉塞されており、その上側部分は、被覆体１３によって部分的に内張りされている。当然ながら、他の実施形態では、キャビティ１４は、矩形または他の適切な形状の横断面を呈することができる。
【００２４】
本明細書では、相反する記載がない限り、軸方向とは、中空体１２のキャビティ１４の主軸Ｘに平行な方向とする。また、径方向とは、キャビティ１４の主軸Ｘに対して直角でこの主軸Ｘと交差する方向とする。相反する記載がない限り、「軸方向（の）」、「径方向（の）」、「軸方向に」、「径方向に」という形容詞および副詞は、上記で特定した軸方向および径方向を基準として使用する。同様に、軸方向平面は、キャビティ１４の主軸Ｘを含む平面であり、径方向平面は、この主軸Ｘに対して直角な平面である。また同様に、軸方向断面は、一の軸方向平面内に画定される断面であり、径方向断面は、一の径方向平面内に画定される断面である。
【００２５】
さらに、相反する記載がない限り、「上側（の）」および「底側（の）」という形容詞は、図中に示した軸Ｘの向きを基準として使用する。
【００２６】
最後に、「上流」および「下流」という語は、以下に記載するような、キャビティ１４内での摺動部１８の軸Ｘに沿った移動の方向に関連して定義される。
【００２７】
電気スイッチは、火薬式ガス発生器１６（たとえば、このスイッチを動作させるために供給される必要のあるガスの量に応じて、火薬式点火装置を備えた超小型ガス発生器、または、火薬式点火装置単体）を有しており、このガス発生器は、キャビティ１４をその上側端部１４ａで閉塞する働きをしている。したがって、これらの例では電気スイッチ１０は単一動作スイッチである。
【００２８】
図示のように、複数の導電スタッドが中空体の壁部に取り付けられ、横方向に伸びてキャビティ１４に通じている。これらの導電スタッドは、それぞれ、キャビティ１４の内部に面する接合面を有する。
【００２９】
キャビティ１４内には、火薬式ガス発生器１６より下流に、導電部１９を有する摺動部１８が設けられている。摺動部１８の導電部１９は、初期状態では少なくとも２つの初期導電スタッドに接続されていて、第１電気回路を閉じている。
【００３０】
摺動部１８は、導電部１９より上流に、少なくとも１つのセグメント２４ｂを備える非導電部２４を有し、このセグメント２４ｂは、キャビティ１４の断面に相補的な断面を呈し、被覆体１３内を軸方向Ｘに摺動するように構成されたピストンを形成する。
【００３１】
説明する例では、導電部１９は非導電部２４に接続されている。一変形例では、導電部１９とピストン２４とを互いに独立させて設けることも可能である。
【００３２】
図１に示すように、火薬式ガス発生器１６とピストン２４との間には、ガス膨張室２７が設けられている。
【００３３】
また、ピストン２４はその周部に、ガス膨張室２７とキャビティ１４のそれ以外の部分との間を封止するシールリング２５を受容するように構成された少なくとも１つの溝部を備える。
【００３４】
シールリング２５に代えて、他の封止手段を使用することもできる。たとえば、このガス膨張室は、ピストンの作製に使用された材料よりも柔軟性の高いプラスチック材料をピストン２４の環状の溝部に注入することによって封止することができる。また、ピストン２４の表面に作製され、ピストン２４とキャビティ１４の内壁との間に存在する隙間を通過するガスの漏れ率を低減するよう機能する、一連のバフルによって封止することもできる。
【００３５】
なお、ガス流出オリフィス（図示せず）を、キャビティ１４の下流部分、たとえばその底壁１５に設けてもよい。
【００３６】
各初期導電スタッドと摺動部１８の導電部１９との間の通電断面が小さい場合、ガス膨張室２７内のガスの圧力によって付与される、各導電スタッドと摺動部１８との間の接続を切断するのに必要な力は、比較的中程度のものである。このような場合、たとえば射出法により強化ポリマーから作製された中空体１２が十分な機械的強度を有する。
【００３７】
必要とされる力がそれより大きい場合は、中空体１２が金属製支持部材で強化されてよい。一実施形態では、この金属製支持部材は、堅固な保護殻を形成するように中空体１２を取り囲んで設けられてよい。別の例では、中空体１２が射出法で作製される場合に、射出成形時に、この金属製支持部材がその材料内に直接挿入されてもよい。
【００３８】
このような強化用支持部材を使用する場合、一般に、火薬式ガス発生器１６および各導電スタッドは、中空体に装着された絶縁被覆体を介して設置する必要がある。
【００３９】
上述のように、図示の複数の実施形態では、電気スイッチが火薬式ガス発生器１６を有する。しかしながら、この例は限定的なものではなく、各導電スタッドと摺動部１８との間の接続を切断するのに十分な力を摺動部１８の上部に付与することができる、他の装置またはアクチュエータを使用することも可能であることに留意されたい。たとえば、機械的または電気的エネルギーによって動作するアクチュエータを使用することもできる。
【００４０】
上述の電気スイッチの動作の例は以下の通りである。
【００４１】
たとえば第１電気回路の電気部品の異常検知部（図示せず）から送信される、電気的トリガー信号の作用を受けて、火薬式ガス発生器１６が起動されると、ピストン２４より上流に位置する膨張室２７に燃焼ガスが放出される。
【００４２】
膨張室内でガス圧力が高くなるため、各初期導電スタッドと摺動部１８との間の接続部は、徐々に高まる剪断力を受ける。最終的に、ガス圧力による力がこれらの接続部の剪断強度を超えると、接続部が破壊されて、摺動部１８が解放され、摺動部１８は、たとえばキャビティ１４の底壁により形成される当接部に当接するまで下流に移動する。
【００４３】
図１および図２に、本発明の第１実施形態を構成する電気スイッチ１０を示す。第１実施形態では、電気スイッチ１０は、キャビティ１４に向かって貫通する２つの導電スタッド２０ａおよび２０ｂを連結する第１電気回路のカットアウト機能を有する。
【００４４】
この例では、２つの導電スタッド２０ａ、２０ｂは、共通の径方向軸Ａ−Ａ上に配置されており、それぞれ、軸Ａ−Ａに対して直角な平面内に画定されキャビティ１４の内部に面する接合面２６ａ、２６ｂを有する。
【００４５】
この例では、摺動部１８は非導電部（絶縁性材料で作製）を有し、この非導電部は、キャビティ１４の断面に相補的な断面を呈しピストンを形成する第１セグメント２４ｂと、この第１セグメント２４ｂより下流の軸方向長さＬ２の第２セグメント２４ａとを備える。
【００４６】
摺動部は、非導電部２４より下流に、本例では導電スタッド２０ａおよび２０ｂの接合面２６ａおよび２６ｂの長さＬ１と実質的に等しい長さ（軸方向Ｘに計測した長さ）の導電部１９も有する。
【００４７】
図１に示すように、第１導電スタッド２０ａの接合面２６ａは、たとえば錫−銅合金を用いた溶接によって得られる接着部２２ａによって、導電部１９の対応する接合面２８ａに接続されている。
【００４８】
同様に、第２初期導電スタッド２０ｂの接合面２６ｂは、たとえば錫−銅合金を用いた溶接によって得られる接着部２２ｂによって、導電部１９の対応する接合面２８ｂに接続されている。
【００４９】
この２つの溶接部２２ａおよび２２ｂによって、摺動部１８の導電部１９を介して互いに接続された第１初期導電スタッド２０ａと第２初期導電スタッド２０ｂとの間で第１電気回路が閉じられている。
【００５０】
これらの溶接部２２ａおよび２２ｂは、振動、衝撃等の外部ストレスに耐えることができ、信頼性の高い電気的接触を確実にする働きをする。
【００５１】
たとえば第１電気回路の電気部品の異常検知部（図示せず）から送信される、電気的トリガー信号の作用を受けて、火薬式ガス発生器１６が起動されると、ピストン２４より上流に位置する膨張室２７に燃焼ガスが放出される。
【００５２】
膨張室内でガス圧力が高くなるため、溶接部２２ａおよび２２ｂは徐々に高まる剪断力を受ける。最終的に、ガス圧力による力が溶接部２２ａおよび２２ｂの剪断強度を超えると、溶接部２２ａおよび２２ｂが破壊されて、摺動部１８が解放され、キャビティ１４の底壁に当接するまで下流に移動する。第１位置と第２位置との間で移動する摺動部１８のストロークは、導電部１９の軸方向長さＬ１よりも長い。
【００５３】
図２に示す摺動部１８の第２位置では、接合面２８ａおよび２８ｂと導電部１９全体とが、初期導電スタッド２０ａおよび２０ｂの接合面２６ａおよび２６ｂより下流に位置している。このとき、接合面２６ａおよび２６ｂは摺動部の絶縁部分２４に対向して位置し、その結果、スタッド２０ａとスタッド２０ｂとの間の電気的接続が切断され、第１電気回路が開いている。
【００５４】
なお、別の実施形態では、導電部１９は、導電スタッド２０ａ、２０ｂより上流に延在していてもよい。この場合、摺動部が第１位置から第２位置に移動することで電気回路を完全かつ確実に切断できるようにするために、導電部は、各導電スタッドの上流に後退部をさらに有しており、これにより、火薬式ガス発生器１６が起動され摺動部１８が移動すると、各初期導電スタッド２０ａ、２０ｂが後退部に対向配置されて、第１電気回路が開かれることになる。
【００５５】
図１および図２の例では、導電部１９は、実質的に矩形のブロック状である。その矩形の軸方向断面を図３に示す。したがって、摺動部１８の導電部１９の接合面２８ａおよび２８ｂは平面であり、初期導電スタッド２０ａおよび２０ｂの対応する接合面２６ａおよび２６ｂも同様である。
【００５６】
別の実施形態では、導電部１９は、図４に示すような円形の軸方向断面を有していてもよい。この場合、接合面２８ａおよび２８ｂは凸面状であり、導電スタッド２０ａおよび２０ｂの対応する接合面２６ａおよび２６ｂは、それに合致する凹面状である。
【００５７】
本発明の第２実施形態では、導電部１９の各接合面と初期導電スタッド２０ａ、２０ｂとは、それぞれ、ろう付けにより接続されている。本発明の第１実施形態について上述した全ての特徴、記載、および変形例は、第２実施形態についても有効であるため、ここでは繰り返さない。
【００５８】
図５および図６に、本発明の第３実施形態の電気スイッチ１００を示す。
【００５９】
第３実施形態では、電気スイッチ１００は、キャビティ１４に通じる２つの導電スタッド２０ａおよび２０ｂを互いに接続する第１電気回路のカットアウト機能を有する。
【００６０】
上述の第１実施形態および第２実施形態と共通の要素に対する参照符号は、以下の記載でも同一のままとする。
【００６１】
この例では、２つの導電スタッド２０ａおよび２０ｂは、キャビティ１４の内部に向かって横方向に突出している。これらのスタッドは、共通の径方向軸Ａ−Ａ上にあり、それぞれ、キャビティ１４の内部に面する接合面２６ａ、２６ｂを有する。
【００６２】
摺動部１８は、火薬式ガス発生器１６のすぐ下流に設けられている。この例では、摺動部は、キャビティ１４の断面に相補的な断面で、ピストンを形成する（絶縁性材料で作製された）非導電部を有しており、このピストンは、導電スタッド２０ａ、２０ｂの各接合面の長さＬ１よりも長尺な軸方向長さＬ８の導電部１９によって下流方向に延長されている。
【００６３】
図５に示すように、摺動部１８が第１位置にあるとき、２つの導電スタッド２０ａおよび２０ｂは導電部１９を介して互いに電気的に接続されていて、電気回路を閉じている。
【００６４】
図５に示すように、導電スタッド２０ａおよび２０ｂの接合面２６ａおよび２６ｂ、ならびに、それらに対応する摺動部１８の接合面２８ａおよび２８ｂは、下流に向かって広がっている。
【００６５】
この例では、導電部１９は、各接合面よりも上流に、軸方向長さＬ３に亘って延在する後退部２３ａ、２３ｂも備える。この長さＬ３は、各導電スタッドの長さＬ１よりも長くなるように、より一般には、火薬式ガス発生器１６が起動されて摺動部１８が移動すると各導電スタッド２０ａ、２０ｂが後退部２３ａ、２３ｂにそれぞれ対向配置されるように選択される。
【００６６】
後退部２３ａおよび２３ｂによって、また、接合面２６ａ、２６ｂ、２８ａ、および２８ｂの傾斜によって、摺動部１８は、キャビティ１４内を移動する際に摩擦によって妨げられることなく、２つの初期導電スタッド２０ａおよび２０ｂから速やかに分離する。導電スタッド間の電気的接続が極めて確実に切断され、電気回路が完全に遮断される。さらに、このような構成により、初期導電スタッド２０ａ、２０ｂと導電部１９との間の電気的接続の切断が、摺動部１８の摺動方向Ｘの最小限のストロークで行える。
【００６７】
一変形形態では、接合面２８ａおよび２８ｂより上流に位置する摺動部１８の部分全体が、絶縁性材料で作製されてよい。この場合、摺動部１８は、接合面２８ａ、２８ｂよりも上流に後退部２３ａ、２３ｂを備えていなくてもよい。
【００６８】
別の変形形態では、接合面２８ａ、２８ｂより上流に位置する摺動部１８の各面に、絶縁性小片部が設けられるだけでもよい（たとえば、各後退部２３ａ、２３ｂにより形成される空間を埋める絶縁性材料など。図１５および図１６参照）。
【００６９】
図示の例では、初期導電スタッド２０ａ、２０ｂの接合面２６ａ、２６ｂ、および、摺動部１８の接合面２８ａ、２８ｂは、好ましくは、直線により構成される径方向断面を有する。しかしながら、一変形例では、これらの接合面は、全体として下流に向かって広がるように傾斜していれば、直線構成ではない断面を有することができる。
【００７０】
本実施形態では、導電スタッド２０ａ、２０ｂと導電部１９との各接合部は、いかなる種類の切断可能な持続性電気的接合部により構成されてもよいことに留意されたい。詳細には、これらの接合部は、ろう付け、半田付け、または溶接によって形成されてよい。あるいは、初期導電スタッド２０ａおよび２０ｂと摺動部１８の導電部１９とが、切断始動部（ｂｒｅａｋ  ｓｔａｒｔｅｒｓ）によって互いに画定される一体部材として作製されてもよい。
【００７１】
図１５および図１６に示す別の変形形態では、これらの初期導電スタッドが、たとえばバネ等の弾性付勢手段によって、導電部と接触するよう付勢されてもよい。この場合、摺動部１８が、導電部１９の各接合面２８ａ、２８ｂよりも上流に、絶縁部分５０ａ、５０ｂを備えることが有利である。摺動部１８が第２位置にあるとき、初期導電スタッド２０ａ、２０ｂは、バネ５２ａ、５２ｂによって摺動部１８に向かって付勢されているので、上述の絶縁部分５０ａ、５０ｂに接触している。このように、各スタッドはバネ５２ａ、５２ｂによって摺動部１８に向かって付勢されているが、初期導電スタッド２０ａと２０ｂとの間の電気的接続は確実に切断されている。
【００７２】
図示の例では、絶縁性材料の小片部５０ａ、５０ｂが、単に、導電部１９の各接合面２８ａ、２８ｂより上流で摺動部１８に装着されている。詳細には、図１５および図１６において、摺動部１８は、各接合面２８ａ、２８ｂより上流に後退部２３ａ、２３ｂを有しており、各後退部２３ａ、２３ｂは、摺動部１８が第２位置にあるときに対応する導電スタッドと位置合わせされる絶縁性材料の小片部を受容する。別の実施形態では、摺動部１８は、導電部１９より上流に、絶縁性材料のセグメントを備えていてもよい。
【００７３】
図１５および図１６に示した変形例に関連する上記記載は、少なくとも１つの初期導電スタッドと摺動部の導電部との間の電気的接続が、たとえばバネ等の弾性付勢手段によって実現される、本発明の全ての実施形態に適用可能である。
【００７４】
図７および図８は、本発明の第４実施形態の電気スイッチ２００を示す。
【００７５】
上述の第１実施形態、第２実施形態、および第３実施形態と共通の要素に対応する参照符号は、以下の記載においても同一のままとする。
【００７６】
図７に示すように、電気スイッチ２００は、第１スタッド対を構成する第１初期導電スタッド２０ａおよび第２初期導電スタッド２０ｂと、この第１スタッド対より下流に（すなわち、第１スタッド対の導電スタッド２０ａおよび２０ｂが配置された平面より下流に位置する径方向平面内に）位置する第３導電スタッド３０とを有しており、この第３導電スタッドは、以下の説明では「下流」導電スタッドと称する。
【００７７】
第４実施形態では、電気スイッチ２００は切換え機能を有する。この電気スイッチは、たとえば、初期導電スタッド２０ａおよび２０ｂを互いに接続する第１電気回路を開きつつ、第１初期導電スタッド２０ａと下流導電スタッド３０との間の第２電気回路（分岐回路）を閉じることで、第２初期導電スタッド２０ｂに接続された問題のある部品を分離することを目的とする。
【００７８】
図７および図８に示すように、電気スイッチは、キャビティ１４内において火薬式ガス発生器１６より下流に設けられた摺動部１８を有する。摺動部１８は導電部１９を有し、導電部１９の上側端部は、キャビティ１４の断面に相補的な断面を有しピストンを構成する絶縁部分２４に接続されている。
【００７９】
電気スイッチ２００が初期位置（すなわち第１位置）にあるとき、２つの初期導電スタッド２０ａおよび２０ｂは、摺動部１８の導電部１９を介して互いに電気的に接続されていて、第１電気回路が閉じている。
【００８０】
この例では、第１導電スタッドの接合面２６ａは、導電部１９の対応する接合面２８ａに、溶接部２２ａを介して接続されている。同様に、第２導電スタッドの接合面２６ｂは、導電部１９の対応する接合面２８ｂに、溶接部２２ｂによって接続されている。
【００８１】
より一般には、第１初期導電スタッド２０ａおよび第２初期導電スタッド２０ｂは、導電部１９に、いかなる種類の切断可能な持続性電気的接合部によって接続されていてもよい。たとえば、この接合はろう付けによって実現されてもよい。あるいは、初期導電スタッド２０ａ、２０ｂと摺動部１８の導電部１９とは、切断始動部によって互いに画定される一体部材として作製されてもよい。別の変形形態では、これらの導電スタッドは、たとえばバネ等の弾性付勢手段によって導電部に接触するよう付勢されていてもよい。
【００８２】
図７に示すように、導電部１９は、第１初期導電スタッド２０ａに対向して位置する接合面２８ａより上流に、傾斜部３４の形をとる第１突出部を有している。
【００８３】
より正確には、導電部１９の側面の、接合面２８ａのすぐ上流に位置する部分は、軸方向Ｘの長さＬ４に亘って上流に向かって広がっている。この例では、長さＬ４は、各初期導電スタッドの接合面の長さＬ１（上記同様、軸方向Ｘの長さ）と実質的に等しくなるように選択される。
【００８４】
また、導電部１９は、接合面２８ａおよび２８ｂより下流に形成された傾斜部３８の形をとる第２突出部を有している。図７に示すように、摺動部１８が第１位置にあるとき、第２突出部３８は、下流導電スタッド３０のすぐ上流にある。傾斜部３８の長さＬ５（軸方向Ｘの長さ）は、下流導電スタッド３０の接合面３１の長さＬ６（軸方向Ｘの長さ）と実質的に等しい。
【００８５】
図示の例では、導電部１９はさらに、第２初期導電スタッド２０ｂに対向して位置する接合面２８ｂの上流に設けられた後退部３６を備える。
【００８６】
摺動部１８が第１位置にあるとき、第１突出部３４は第１初期導電スタッド２０ａより上流に位置し、後退部３６は、第２初期導電スタッド２０ｂより上流に位置し、第２突出部３８は下流導電スタッド３０より上流に位置している。摺動部１８は下流導電スタッド３０に接触しておらず、下流導電スタッド３０は作動していない状態である。
【００８７】
火薬式ガス発生器１６の作用を受けて摺動部１８がＸ方向下流に移動すると、第１突出部３４および第２突出部３８が、それぞれ第１初期導電スタッド２０ａおよび下流導電スタッド３０に徐々に押し当てられる。
【００８８】
同時に、後退部３６が、第２導電スタッド２０ｂの接合面２６ｂに対向配置される。
【００８９】
この位置では、導電スタッド２０ａおよび２０ｂはもはや互いに電気的に接続されていないため、第１電気回路は開いている。一方、導電スタッド２０ａおよび３０に押し当たっている突出部３４および３８によって、導電部１９はこれら２つのスタッド２０ａと３０とを互いに電気的に接続することができ、これにより第２電気回路（分岐回路）が閉じている。
【００９０】
図７および図８に見られるように、キャビティ１４は、その下流側終端が、摺動部１８の底側部分の形状に相補的な形状のガイド部３２となっていることが有利である。ガイド部３２は、摺動部１８が第１位置から第２位置に移動する際、摺動部１８をガイドするよう働く。より詳細には、ガイド部３２によって、摺動部１８が第１初期導電スタッド２０ａおよび下流導電スタッド３０から離れて移動することが防止されて、摺動部１８が第２位置にあるときに第２電気回路（分岐回路）でなされる各電気的接触の信頼性が増す。
【００９１】
変形例として、摺動部は、その底側端部側終端が、中空体１２の底壁１５に設けられた、対応する円錐形キャビティに締り嵌め嵌合する円錐形部分となるように構成されてよい。
【００９２】
説明した例では、導電部１９の突出部３４、３８は、接合面２８ａ、２８ｂのすぐ上流に位置している。変形例として、これらの突出部を、対応する接合面よりも上流で少し距離をおいて配置することも当然可能である。この場合、摺動部が第１位置と第２位置との間で移動するストロークが長くなるだけである。しかしながら、各突出部と協働する接合面との間の距離同士が実質的に同一である状態にすることに留意することが適切である。
【００９３】
上述のように、説明した例の導電部１９は、摺動部１８が第１位置にあるときに第２初期導電スタッド２０ｂより上流に位置する後退部３６を有している。この後退部があることで、摺動部１８がそのストロークに沿ってキャビティ内を移動すると、摺動部１８と第２導電スタッド２０ｂとの間の電気的接触を切断することができる。この後退部を設ける代わりに、あるいはこれを設けることに加えて、摺動部１８は、接合面２８ｂより上流に絶縁部分を備えることができる。この絶縁部分は、摺動部１８が第２位置にあるときに第２初期導電スタッド２０ｂと位置合わせされるように構成すべきである。
【００９４】
別の有利な例では、摺動部１８の第２初期導電スタッド２０ｂに対向する面は、導電スタッド２０ｂの対応する接合面もまた同様に、下流に向かって広がっていてよく、これにより、摺動部１８が摩擦によって妨げられることなく導電スタッド２０ｂから即座に接合解除されることが可能になる。
【００９５】
さらに別の有利な例では、下流導電スタッドは、たとえばバネ等の弾性付勢手段によってキャビティ１４の内部に向かって付勢されてよい。この場合、摺動部１８が第１位置から第２位置に向かって移動すると、傾斜部３８が、この弾性付勢手段の力と反対の方向に下流導電スタッドを徐々に圧迫する。摺動部１８が第２位置にあるとき、下流導電スタッドは、この弾性付勢手段によって導電部１９に接触するよう付勢される。
【００９６】
図９から図１１は、本発明の第４実施形態の変形例の電気スイッチ２０１を示す。図７および図８を参照して上述した全ての特徴は、ここでも有効であるため、繰り返し記載しない。
【００９７】
図９に示すように、摺動部１８の導電部１９は、後退部３６の近傍に位置する第３突出部４０を有する。詳細には、この例では、第３突出部４０は、後退部３６より下流で、第２初期導電スタッド２０ｂに接続されている導電部１９の接合面２８ｂより上流に配置されている。第３突出部４０は、第１突出部３４の長さＬ４および第２突出部３８の長さＬ５よりも短い、軸方向長さＬ７を有している。
【００９８】
図１０は、第１位置と第２位置との間の中間位置における摺動部１８を示す。
【００９９】
この中間位置では、第１突出部３４および第２突出部３８は、それぞれ、第１導電スタッド２０ａおよび下流導電スタッド３０に押し当たり始めている。第３突出部４０は、第２導電スタッド２０ｂに押し当てられている。また、摺動部１８はガイド部３２に嵌合している。
【０１００】
３つ全ての導電スタッド２０ａ、２０ｂ、および３０がこのように互いに短絡しており、（導電スタッド２０ａおよび２０ｂを互いに接続する）第１電気回路が切断される前に、導電スタッド２０ａおよび３０を互いに接続する第２電気回路（分岐回路）に電流が流れ始める。
【０１０１】
摺動部１８が第２位置に到達すると、図１１に示すように、第３突出部４０は第２導電スタッド２０ｂより下流にあり、後退部３６が第２導電スタッド２０ｂに対向配置されている。
【０１０２】
この位置では、スタッド２０ａとスタッド２０ｂとの間の第１電気回路は開いており、スタッド２０ａとスタッド３０との間の第２電気回路は閉じている。
【０１０３】
図１２から図１４は、初期状態では並列接続されている複数の回路を有する、本発明の第４実施形態の別の変形例の電気スイッチ２０２を示す。
【０１０４】
この変形例では、電気スイッチ２０２は、第１初期導電スタッド対２０ａおよび２０ｂと、この第１スタッド対２０ａおよび２０ｂより下流に位置する第２初期導電スタッド対２０ｃおよび２０ｄとを有する。図示の例では、第１スタッド対の導電スタッドは、軸方向Ｘに直角な軸Ａ−Ａに沿って画定されており、第２スタッド対の導電スタッド２０ｃ、２０ｄは、この軸Ａ−Ａに平行でこれより下流の軸Ｂ−Ｂ上に位置している。
【０１０５】
図１２から図１４に示すように、摺動部１８は、上述の第５実施形態について記載したものと実質的に同一の第１導電部４２と、第１導電部４２より下流に位置する第２導電部４４とを有する。２つの導電部４２および４４は、この例では軸方向平面に延在する絶縁体４６によって互いに隔てられている。
【０１０６】
摺動部１８が第１位置にあるとき、第１導電部４２の一方の接合面２８ａは、第１スタッド対２０ａ、２０ｂの第１初期導電スタッド２０ａに接続されており、他方の接合面２８ｂは、第１スタッド対２０ａ、２０ｂの第２初期導電スタッド２０ｂに接続されている。この例では、第１スタッド対２０ａ、２０ｂの導電スタッドは、それぞれ、溶接部２２ａ、２２ｂによって第１導電部４２に接続されている。
【０１０７】
摺動部１８の第１導電部４２は、接合面２８ａより上流の第１突出部３４と、第２スタッド対２０ｃ、２０ｄの第１初期導電スタッド２０ｃより上流に位置する第２突出部３８とを有する。
【０１０８】
これらの突出部は、図７および図８を参照して説明した突出部と同一の機能を有している。
【０１０９】
第２導電部４４は、第２スタッド対の導電スタッド２０ｃおよび２０ｄに対向して位置している。この例では、第２導電部４４は、スタッド２０ｃの対応する接合面に溶接部２２ｃによって接続される第１接合面２８ｃと、スタッド２０ｄの対応する接合面に溶接部２２ｄよって接続される第２接合面とを有する。
【０１１０】
他の実施形態では、各導電スタッドと摺動部の各導電部との間の接着部は、切断可能な持続性電気的接合部を提供するいかなる種類のものでもよい。たとえば、これらの接着部は、ろう付けによって得られてよい。別の例では、これらの導電スタッドと摺動部のこれらの導電部とは、複数の切断始動部によってそれぞれ画定される一体部材として作製されてもよい。さらに別の例では、これらの初期導電スタッドは、たとえばバネ等の弾性付勢手段によって、導電部に接触するよう付勢されてよい。
【０１１１】
この例では、摺動部１８は、第１スタッド対の第２導電スタッド２０ｂに接続されている接合面２８ｂより上流の第１後退部３６と、第２スタッド対の第２導電スタッド２０ｄに接続されている接合面２８ｄより上流の第２後退部４８とを有することに注目されたい。
【０１１２】
上述のように、摺動部１８が初期位置にあるとき、第１スタッド対の初期導電スタッド２０ａおよび２０ｂは、摺動部１８の第１導電部４２を介して互いに電気的に接続されており、第２スタッド対の初期導電スタッド２０ｃおよび２０ｄは、摺動部１８の第２導電部４４によって互いに電気的に接続されている。
【０１１３】
絶縁体４６は、第２スタッド対の初期導電スタッド２０ｃ、２０ｄに接続される、摺動部１８の接合面２８ｃ、２８ｄより上流で、第２突出部３８および第２後退部４８より下流に配置されている。
【０１１４】
この構成により、摺動部１８が第２位置に到達したとき、第１突出部３４は、第１スタッド対２０ａの第１初期導電スタッド２０ａの接合面２６ａに押し当たり、第２突出部３８は、第２スタッド対２０ｃ、２０ｄの第１初期導電スタッド２０ｃの接合面２６ｃに押し当たる。
【０１１５】
同時に、第１後退部３６は、第１スタッド対２０ａ、２０ｂの第２初期導電スタッドの接合面２６ｂに対向配置されることになる。同様に、第２後退部４８は、第２スタッド対２０ｃ、２０ｄの第２初期導電スタッド２０ｄの接合面２６ｄに対向配置されることになる。
【０１１６】
最終的に、絶縁体４６は、図１４に示すように、第２スタッド対の第１初期導電スタッド２０ｃより下流に位置することになる。
【０１１７】
この位置では、第１スタッド対２０ａ、２０ｂの導電スタッド間で摺動部１８の第１導電部４２を介して初期状態で成立していた電気回路は開いている。
【０１１８】
同様に、第２スタッド対２０ｃ、２０ｄの導電スタッド間で摺動部１８の第２導電部４４を介して初期状態で成立していた電気回路も開いている。
【０１１９】
対照的に、第１スタッド対の第１導電スタッド２０ａと第２スタッド対の第１導電スタッド２０ｃとの間の、摺動部の第１導電部４２を介した分岐回路は閉じている。
【０１２０】
図示の例では、摺動部は、第１突出部３４および第２突出部３８より短尺な第３突出部４０を有し、この第３突出部４０は、接合面２８ｂより上流で後退部３６より下流に位置している。
【０１２１】
摺動部は、火薬式ガス発生器１６の作用を受けて第１位置から第２位置へ移動する際に、図１３に示す中間位置を通過する。
【０１２２】
この中間位置では、第１突出部３４および第２突出部３８は、それぞれ、第１初期導電スタッド２０ａおよび次期導電スタッド３０に押し当たり始めている。第２スタッド対の第２導電スタッドは、第２導電部４４に接触しなくなっている。第３突出部４０は、第２初期導電スタッド２０ｂに押し当てられている。最終的に、摺動部１８がガイド部３２に嵌合される。
【０１２３】
このように、３つの導電スタッド２０ａ、２０ｂ、および３０は第３突出部４０によって互いに短絡しているため、（初期導電スタッド２０ａおよび２０ｂを互いに接続する）第１電気回路が切断される前に、導電スタッド２０ａおよび３０を互いに接続する第２電気回路（分岐回路）に電流が流れ始める。
【図１】
2013512539.tif 000003
【図２】
2013512539.tif 000004
【図３】
2013512539.tif 000005
【図４】
2013512539.tif 000006
【図５】
2013512539.tif 000007
【図６】
2013512539.tif 000008
【図７】
2013512539.tif 000009
【図８】
2013512539.tif 000010
【図９】
2013512539.tif 000011
【図１０】
2013512539.tif 000012
【図１１】
2013512539.tif 000013
【図１２】
2013512539.tif 000014
【図１３】
2013512539.tif 000015
【図１４】
2013512539.tif 000016
【図１５】
2013512539.tif 000017
【図１６】
2013512539.tif 000018
【手続補正書】
【提出日】平成24年7月25日(2012.7.25)
【手続補正１】
【補正対象書類名】明細書
【補正対象項目名】００９２
【補正方法】変更
【補正の内容】
【００９２】
説明した例では、導電部１９の突出部３４、３８は、接合面２８ａ、３１のすぐ上流に位置している。変形例として、これらの突出部を、対応する接合面よりも上流で少し距離をおいて配置することも当然可能である。この場合、摺動部が第１位置と第２位置との間で移動するストロークが長くなるだけである。しかしながら、各突出部と協働する接合面との間の距離同士が実質的に同一である状態にすることに留意することが適切である。
【手続補正２】
【補正対象書類名】明細書
【補正対象項目名】０１０５
【補正方法】変更
【補正の内容】
【０１０５】
図１２から図１４に示すように、摺動部１８は、上述の第４実施形態について記載したものと実質的に同一の第１導電部４２と、第１導電部４２より下流に位置する第２導電部４４とを有する。２つの導電部４２および４４は、この例では径方向平面に延在する絶縁体４６によって互いに隔てられている。
【手続補正３】
【補正対象書類名】明細書
【補正対象項目名】０１１４
【補正方法】変更
【補正の内容】
【０１１４】
この構成により、摺動部１８が第２位置に到達したとき、第１突出部３４は、第１スタッド対２０ａ、２０ｂの第１初期導電スタッド２０ａの接合面２６ａに押し当たり、第２突出部３８は、第２スタッド対２０ｃ、２０ｄの第１初期導電スタッド２０ｃの接合面２６ｃに押し当たる。
【手続補正４】
【補正対象書類名】明細書
【補正対象項目名】０１２２
【補正方法】変更
【補正の内容】
【０１２２】
この中間位置では、第１突出部３４および第２突出部３８は、それぞれ、第１スタッド対の第１初期導電スタッド２０ａおよび第２スタッド対の第１導電スタッド２０ｃに押し当たり始めている。第２スタッド対の第２導電スタッドは、第２導電部４４に接触しなくなっている。第３突出部４０は、第１スタッド対の第２初期導電スタッド２０ｂに押し当てられている。最終的に、摺動部１８がガイド部３２に嵌合される。
【手続補正５】
【補正対象書類名】明細書
【補正対象項目名】０１２３
【補正方法】変更
【補正の内容】
【０１２３】
このように、３つの導電スタッド２０ａ、２０ｂ、および２０ｃは第３突出部４０によって互いに短絡しているため、（初期導電スタッド２０ａおよび２０ｂを互いに接続する）第１電気回路が切断される前に、導電スタッド２０ａおよび２０ｃを互いに接続する第２電気回路（分岐回路）に電流が流れ始める。
【手続補正６】
【補正対象書類名】特許請求の範囲
【補正対象項目名】請求項１１
【補正方法】変更
【補正の内容】
【請求項１１】
前記初期導電スタッドが、前記摺動部の摺動方向（Ｘ）に対して直角な軸上で互いに対向して配置されている、請求項１から１０のいずれか１項に記載の電気スイッチ。
【手続補正７】
【補正対象書類名】特許請求の範囲
【補正対象項目名】請求項１８
【補正方法】変更
【補正の内容】
【請求項１８】
前記第１スタッド対より下流にあり、前記下流導電スタッドと協働して第２スタッド対を構成する別の下流導電スタッドをさらに備え、
前記摺動部（１８）が、前記摺動部の径方向平面に実質的に延在する絶縁体（４６）によって互いに隔てられている第１導電部（４２）および第２導電部（４４）を少なくとも含み、
前記第１スタッド対（２０ａ、２０ｂ）は、前記摺動部（１８）の前記第１導電部（４２）を介して互いに電気的に接続され、前記第２スタッド対（２０ｃ、２０ｄ）は、前記摺動部（１８）の前記第２導電部（４４）を介して互いに電気的に接続されている、請求項１または１７に記載の電気スイッチ。
【手続補正８】
【補正対象書類名】特許請求の範囲
【補正対象項目名】請求項１９
【補正方法】変更
【補正の内容】
【請求項１９】
前記第１スタッド対（２０ａ、２０ｂ）および前記第２スタッド対（２０ｃ、２０ｄ）が、前記摺動部（１８）の摺動方向（Ｘ）に対して直角な複数の平面内にそれぞれ位置している、請求項１８に記載の電気スイッチ。
【手続補正９】
【補正対象書類名】特許請求の範囲
【補正対象項目名】請求項２３
【補正方法】変更
【補正の内容】
【請求項２３】
前記摺動部（１８）が、前記第２スタッド対（２０ｃ、２０ｄ）の第２のスタッド（２０ｄ）より上流に位置する第２後退部（４８）をさらに含み、
前記摺動部（１８）が前記第２位置にあるとき、前記第２後退部（４８）が、前記第２のスタッド（２０ｄ）に対向するよう構成されている、請求項１８、２１および２２のいずれか１項に記載の電気スイッチ。
【手続補正１０】
【補正対象書類名】特許請求の範囲
【補正対象項目名】請求項２４
【補正方法】変更
【補正の内容】
【請求項２４】
前記摺動部（１８）が、前記第２スタッド対（２０ｃ、２０ｄ）の第２のスタッド（２０ｄ）より上流に位置する第２絶縁部分をさらに含み、
前記摺動部（１８）が前記第２位置にあるとき、前記第２絶縁部分が、前記第２のスタッド（２０ｄ）の接合面（２６ｄ）に対向するよう構成されている、請求項１８、２１および２２のいずれか１項に記載の電気スイッチ。
【国際調査報告】
2013512539.tif 000019
2013512539.tif 000020
2013512539.tif 000021
2013512539.tif 000022
2013512539.tif 000023
2013512539.tif 000024
2013512539.tif 000025
2013512539.tif 000026